(57)【要約】      （修正有）【課題】後加工を不要とするレンズ保持構造を提供する。【解決手段】レンズ保持構造は、レーザビームを照射するレーザダイオード３０５と、前記レーザダイオードから照射される前記レーザビームを通すレンズ３０３と、前記レンズの底面を保持する底部、及び前記底部から直角に立ち上がり、前記レンズの側面を保持する側壁を有する板金３００と、前記底部に固定され、前記板金が保持する前記レンズの前記側面とは異なるもう一方の側面を保持する第１の樹脂部材３０１と、を備える。【選択図】図３
2013109304.tif 000002
【特許請求の範囲】
【請求項１】
レーザビームを照射するレーザダイオードと、
前記レーザダイオードから照射される前記レーザビームを通すレンズと、
前記レンズの底面を保持する底部、及び前記底部から直角に立ち上がり、前記レンズの側面を保持する側壁を有する板金と、
前記底部に固定され、前記板金が保持する前記レンズの前記側面とは異なるもう一方の側面を保持する第１の樹脂部材と、
を備えることを特徴とするレンズ保持構造。
【請求項２】
前記底部に固定され、レーザダイオード制御基板保持部が取り付けられる第２の樹脂部材をさらに備えることを特徴とする請求項１記載のレンズ保持構造。
【請求項３】
前記レンズを上面から支持する板バネを備えることを特徴とする請求項１記載のレンズ保持構造。
【請求項４】
前記第１の樹脂部材と、前記第２の樹脂部材を一体とすることを特徴とする請求項２記載のレンズ保持構造。
【請求項５】
レーザビームを照射するレーザダイオードと、
前記レーザダイオードから照射される前記レーザビームを通すレンズと、
前記レンズの底面を保持する底部、及び前記底部から直角に立ち上がり、前記レンズの側面を保持する側壁を有する板金と、
前記底部に固定され、前記板金が保持する前記レンズの前記側面とは異なるもう一方の側面を保持する第１の樹脂部材と、
前記レンズを通ったレーザを走査するポリゴンミラーと、
前記ポリゴンミラーから走査された走査線を反射するミラーと、
を備えることを特徴とする光走査装置。
【請求項６】
前記底部に固定され、レーザダイオード制御基板保持部が取り付けられる第２の樹脂部材をさらに備えることを特徴とする請求項５記載の光走査装置。
【請求項７】
記録媒体を供給する給紙部と、
レーザビームを照射するレーザダイオードと、
前記レーザダイオードから照射される前記レーザビームを通すレンズと、
前記レンズの底面を保持する底部、及び前記底部から直角に立ち上がり、前記レンズの側面を保持する側壁を有する板金と、
前記底部に固定され、前記板金が保持する前記レンズの前記側面とは異なるもう一方の側面を保持する第１の樹脂部材と、
前記レンズを通ったレーザを走査するポリゴンミラーと、
前記ポリゴンミラーで走査された前記レーザビームが照射される像担持体と、
前記像担持体上に形成された画像を、前記給紙部から供給された前記記録媒体上に転写するチャージャと、
を備えることを特徴とする画像形成装置。
【請求項８】
前記底部に固定され、前記レーザダイオード制御基板保持部が取り付けられる第２の樹脂部材をさらに備えることを特徴とする請求項７記載の画像形成装置。
【請求項９】
レーザダイオードから照射されるレーザビームをレンズに通し、
板金の底部により前記レンズの底面を保持し、
前記底部から直角に立ち上がる側壁により前記レンズの側面を保持し、
前記底部に固定される第１の樹脂部材により、前記板金が保持する前記レンズの前記側面とは異なるもう一方の側面を保持する、
ことを特徴とするレンズ保持方法。
【請求項１０】
前記底部に固定され、レーザダイオード制御基板保持部が取り付けられる第２の樹脂部材をさらに備えることを特徴とする請求項９記載のレンズ保持方法。
【発明の詳細な説明】
【技術分野】
【０００１】
本発明の実施形態は、レンズ保持構造、光走査装置、画像形成装置、及びレンズ保持方法に関する。
【背景技術】
【０００２】
従来、コリメータレンズを保持するホルダはアルミダイキャスト製であった。しかしながら、ホルダをアルミダイキャスト製とすると、アルミダイキャスト後、コリメータレンズの位置決めをするためにホルダを平面とする後加工や、ネジ穴を入れるといった後加工が必要となるという問題が生じる。
【先行技術文献】
【特許文献】
【０００３】
【特許文献１】特開２００３−６０２７７公報
【発明の概要】
【発明が解決しようとする課題】
【０００４】
本発明の実施形態が解決しようとする課題は、レンズ保持構造の後加工を不要とすることである。
【課題を解決するための手段】
【０００５】
上記課題を解決するために、本発明の実施形態におけるレンズ保持構造は、レーザビームを照射するレーザダイオードと、前記レーザダイオードから照射される前記レーザビームを通すレンズと、前記レンズの底面を保持する底部、及び前記底部から直角に立ち上がり、前記レンズの側面を保持する側壁を有する板金と、前記底部に固定され、前記板金が保持する前記レンズの前記側面とは異なるもう一方の側面を保持する第１の樹脂部材と、を備えることを特徴とする。
【図面の簡単な説明】
【０００６】
【図１】第一の実施形態における、画像形成装置の構成図である。
【図２】第一の実施形態における、光走査装置の構成を示す斜視図である。
【図３】第一の実施形態における、光源を示す斜視図である。
【図４】第一の実施形態における、レンズ保持部を分解して示す斜視図である。
【図５】第一の実施形態における、レンズ保持部を組み立てた構造を示す斜視図である。
【図６】第二の実施形態における、光源を示す斜視図である。
【図７】第二の実施形態における、レンズ保持部を分解して示す斜視図である。
【図８】第二の実施形態における、レンズ保持部を組み立てた構造を示す斜視図である。
【発明を実施するための形態】
【０００７】
以下に添付図面を参照して、実施形態の画像形成装置を説明する。
【０００８】
（第一の実施形態）
第一の実施形態の画像形成装置が有する光走査装置のレンズ保持構造は、レンズの一方の側面を保持する部分を有するＬ字形状の板金と、レンズの他方の側面を保持する樹脂部材との組み合わせで構成される。
【０００９】
図１は、画像形成装置１００の正面図である。画像形成装置１００は、例えば、画像読取手段としてのスキャナ部１、及び画像形成手段としてのプリンタ部２を備える。スキャナ部１は、第１キャリジ３、第２キャリジ４、結像レンズ５、及び光電変換素子６を備える。第１キャリジ３は、図示矢印方向に移動する。
【００１０】
原稿台７上に載置した原稿Ｏの画像を、スキャナ部１が１ラインごとに順次読取る。読取り出力は、画像処理部が画像の濃淡を示す、例えば８ビットのデジタル画像信号に変換する。
【００１１】
プリンタ部２は、光走査装置１３、及び画像形成部１４を備える。画像形成部１４は、記録媒体である用紙Ｐ上に画像形成が可能な電子写真方式を組み合わせた構成である。用紙Ｐは保管部１９に保管される。画像形成時、保管部１９に保管される用紙Ｐは、ピックアップローラ２０により、１枚ずつ搬送され、搬送ローラ２１により、画像形成部１４へ搬送される。
【００１２】
原稿Ｏからスキャナ部１が読取った画像信号を、画像処理部が処理する。光走査装置１３内の半導体レーザ発振器は、処理後の画像信号に対応するレーザビームを照射する。
【００１３】
光走査装置１３から照射するレーザビームは、像担持体としての感光体ドラム１５上の露光位置Ｘにスポットの走査光として結像する。感光体ドラム１５上には、画像信号に対応する静電潜像が形成される。
【００１４】
感光体ドラム１５上の静電潜像は、現像器１７からのトナー（現像剤）によりトナー像となる。転写チャージャ１８が感光体ドラム１５のトナー像を、転写位置の地点で給紙系によりタイミングをとって供給される用紙Ｐ上に転写する。
【００１５】
画像形成部１４により画像形成された用紙Ｐは、定着装置２２により、画像が定着される。定着装置２２の下流に排紙部２３を有し、用紙Ｐは排紙部２３に排紙される。
【００１６】
以上のプロセス動作を繰り返すことにより、画像形成動作が連続的に行なわれる。
【００１７】
次に、光走査装置１３について説明する。図２は、光走査装置１３の斜視図である。光走査装置１３はケーシング２１を有する。ケーシング２１は、底部２２と、底部２２の立ち上がる側壁２３とを含み、例えば合成樹脂によって一体形成されている。
【００１８】
ケーシング２１の上面は、カバーによって覆われる。図２は、説明の便宜上、カバーを取り外した状態を示す。ケーシング２１の内部には、光源２４と、ポリゴンミラー２５が収納されている。
【００１９】
光源２４は、レーザビームをポリゴンミラー２５に向けて出力するレーザダイオード３０５、及びコリメータレンズ（以下、単にレンズという）３０３（図３）を備えている。レーザダイオード３０５及びレンズ３０３はレンズ保持部３０により保持される。ポリゴンミラー２５は、ポリゴンモータによって回転し、画像光を主走査方向に偏向する偏向部を構成する。光源２４については後述する。
【００２０】
図３は、光源２４としてのレンズ保持部３０を示す斜視図である。図４は、レンズ保持部３０を分解して示す斜視図であり、図５は、レンズ保持部３０を組み立てた構造を示す斜視図である。光源２４は、レンズ保持部３０、レンズ３０３、レーザダイオード３０５、レーザダイオード３０５及びレーザダイオード制御基板３０７を保持するレーザダイオード制御基板保持部３０６を有する。なお、レンズ３０３は、例えば、１枚のコリメータレンズを収納して保持した筒状体を含んだ構造を有している。或いは、複数枚のレンズを接合してなる複合レンズを収納し保持した筒状体を含んだ構造を有している。
【００２１】
図３に示すようにレンズ保持部３０は、Ｌ字型に曲げた板金３００、レンズ３０３の上面３０３ｄを保持する板バネ３０４が取り付けられる第１の樹脂部材３０１、及びレーザダイオード制御基板保持部３０６と接続する樹脂部材３０２を有する。板金３００は、底部３００ａと、底部の立ち上がる側壁３００ｂとを含む。底部３００ａは第１の樹脂部材３０１及び第２の樹脂部材３０２の取り付け基準面である。板金３００の底部３００ａにレンズ３０３の底部３０３ａが当接し、側壁３００ｂにレンズ３０３の一方の側面３０３ｂが当接し、レンズ３０３を保持する。第１の樹脂部材３０１は、板金３００の底部３００ａに固定され、レンズ３０３のもう一方の側面３０３ｃに当接し、レンズ３０３を保持する。第２の樹脂部材３０２には、レーザダイオード制御基板保持部３０６が取り付けられる。
【００２２】
この板金３００の底部３００ａの取り付け基準面に、レンズ固定用の板バネ３０４が取り付けられる第１の樹脂部材３０１と、レーザダイオード制御基板保持部３０６が取り付けられた第２の樹脂部材３０２とを固定してレンズ３０３を保持する。この保持によって、レンズ３０３の中心軸位置決めをする。なお、板バネ３０４は、第１の樹脂部材３０１への取り付けに限らず、板金３００や第２の樹脂部材３０２に取り付けられていても良い。
【００２３】
図５に示すように、第１の樹脂部材３０１は、板金の側壁３００ｂと所定間隔を介して平行に配置され、更に、第２の樹脂部材３０２、及び板金３００の底部３００ａと直角となるように配置されて板金３００に取り付けられる。第２の樹脂部材３０２は、板金３００の側壁３００ｂ、及び板金３００の底部３００ａと直角になるように配置されて板金３００に取り付けられる。
【００２４】
レーザダイオード制御基板保持部３０６は、レーザダイオード制御基板３０７、及びレーザダイオード３０５を保持する。レーザダイオード３０５は、レーザダイオード制御基板３０７からのレーザ発光制御信号に基づき、レーザビームを照射する。レーザビームはレンズ３０３を通して、ポリゴンミラー２５に照射される。
【００２５】
レンズ３０３の中心軸位置決めは取り付け基準底面と垂直面でレンズを当接して決定する。すなわち。板金の底部３００ａ、及び板金の側壁３００ｂ及び、樹脂部材３０１によりレンズ３０３の中心軸の位置を決定する。
【００２６】
上述のような、レンズ保持構造により、板金を３００直角に曲げてＬ字形状にすると加工が簡単で、後加工を不要とすることができる。また、アルミダイキャストより材料費が安く、後加工が不要なため加工費が安くなる。樹脂部材３０１及び３０２は単純な形状で済むため、精度が出しやすい。
【００２７】
（第二の実施形態）
第二の実施形態の画像形成装置が有する光走査装置のレンズ保持構造は、Ｌ字形状の板金とレンズ端部と側面を保持する樹脂部材の組み合わせで構成される。第一の実施形態と同一構成部分には同一符号を付す。
【００２８】
図６は、光源２４を示す斜視図である。図７は、レンズ保持部４０を分解して示す斜視図であり、図８は、レンズ保持部４０を組み立てた構造を示す斜視図である。光源２４は、レンズ保持部４０、レンズ４０２、レーザダイオード４０４、及びレーザダイオード制御基板４０６を保持するレーザダイオード制御基板保持部４０５を有する。
【００２９】
図６に示すようにレンズ保持部４０は、Ｌ字型に曲げた板金４００、及びレーザダイオード制御基板保持部４０５、及びレンズ４０２の上面４０２ｄを保持する板バネ４０３が取り付けられる樹脂部材４０１を有する。図７に示すように、板金４００は、底部４００ａと、底部から立ち上がる側壁４００ｂとを含み、底部４００ａは樹脂部材４０１の取り付け基準面である。板金４００の底部４００ａにレンズ４０２の底部４０２ａが当接し、側壁４００ｂにレンズ４０２の一方の側面４０２ｂが当接し、レンズ４０２を保持する。樹脂部材４０１にレンズ４０２の他方の側面４０２ｃが当接し、レンズ４０２を保持する。
【００３０】
板金の底部４００ａの取り付け基準面に、レーザダイオード制御基板保持部４０５、及びレンズ固定用の板バネ４０３と接続する樹脂部材４０１を固定して組み合わせることで、レンズ４０２を保持し、レンズ４０２の中心軸位置決めをする。
【００３１】
図７に示すように、樹脂部材４０１は、第１の実施例で説明された第１の樹脂部材３０１と第２の樹脂部材とを一体に形成してＬ字形状を有する。Ｌ字形状に形成された樹脂部材４０１は、板金４００の側壁４００ｂ及び板金４００の底部４００ａに対して直角となるように配置される。
【００３２】
レーザダイオード制御基板保持部４０５は、レーザダイオード制御基板４０６、及びレーザダイオード４０４を保持する。レーザダイオード４０４は、レーザダイオード制御基板４０６からのレーザ発光制御信号に基づき、レーザビームを照射する。レーザビームはレンズ４０２を通して、ポリゴンミラー２５に照射される。
【００３３】
レンズ４０２の中心軸位置決めは取り付け基準底面と垂直面でレンズ４０２を当接して決定する。すなわち。板金４００の底部４００ａ、及び板金４００の側壁４００ｂ及び、樹脂部材４０１によりレンズ４０２の中心軸の位置を決定する。
【００３４】
上述のような、レンズ保持構造により、板金４００を直角に曲げてＬ字形状にすると加工が簡単で、後加工を不要とすることができる。また、アルミダイキャストより材料費が安く、後加工が不要なため加工費が安くなる。樹脂部材４０１は単純な形状で済むため、精度が出しやすい。また、樹脂部材が複数ではなく、一体型であるため、部品が少なくてすむ。
【００３５】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００３６】
１  スキャナ部
２  プリンタ部
３、４  キャリッジ
５  結像レンズ
６  光電変換素子
７  原稿台
１３  光走査装置
１４  画像形成部
１５  感光体ドラム
１８  転写チャージャ
２３  排紙部
２４  光源
２５  ポリゴンミラー
３０、４０  レンズ保持部
１００  画像形成装置
２００  ＣＰＵ
２０２  ＲＯＭ
２０３  ＲＡＭ
２０４  Ｉ／Ｆ
３００、４００  板金
３０１、３０２、４０１  樹脂部材
３０３、４０２  コリメータレンズ
３０４、４０３  板バネ
３０５、４０４  レーザダイオード
３０６、４０５  レーザダイオード制御基板保持部
３０７、４０６  レーザダイオード制御基板
【図１】
2013109304.tif 000003
【図２】
2013109304.tif 000004
【図３】
2013109304.tif 000005
【図４】
2013109304.tif 000006
【図５】
2013109304.tif 000007
【図６】
2013109304.tif 000008
【図７】
2013109304.tif 000009
【図８】
2013109304.tif 000010